(57)【要約】【課題】引き出された状態での安定性を向上させたディスクローディング用トレイを提供する。【解決手段】ディスク再生装置５に引出・収納自在に設けられるディスクローディング用トレイ１の左右両側面に、ディスクローディング用トレイ１を引き出したときに、そのディスクローディング用トレイ１を支持するための支持部材２を設け、かつ、その支持部材２を、少なくとも引き出された状態のディスクローディング用トレイ１を支持する支持位置と、ディスクローディング用トレイ１を収納したときの収納位置と、の間で回動自在に構成する。【選択図】  図３
2005004922.tif 000002
【特許請求の範囲】
【請求項１】
ディスク再生装置に引出・収納自在に設けられるディスクローディング用トレイの引出方向の左右両側面に支持部材を設け、
前記支持部材を、前記ディスクローディング用トレイの引き出された部分を前記ディスク再生装置が載置されている載置面に対して支持する支持位置と、前記ディスクローディング用トレイを前記ディスク再生装置内に収納したときの収納位置と、の間で回動自在に構成したことを特徴とするディスクローディング用トレイ。
【請求項２】
前記支持部材が前記支持位置にあるときには、前記支持部材と、前記ディスク再生装置が載置されている載置面と、の間に若干の隙間が形成されることを特徴とする請求項１に記載のディスクローディング用トレイ。
【請求項３】
前記ディスクローディング用トレイを前記ディスク再生装置から引き出したときに、前記支持部材を、前記支持位置に付勢回動する弾発部材を設けたことを特徴とする請求項１に記載のディスクローディング用トレイ。
【請求項４】
前記支持部材を前記支持位置に位置規制するための規制部材を、前記ディスクローディング用トレイの左右両側に設けたことを特徴とする請求項３に記載のディスクローディング用トレイ。
【請求項５】
前記ディスクローディング用トレイを前記ディスク再生装置内に収納すると、前記支持部材が、前記弾発部材の付勢力に抗して、前記ディスクローディング用トレイの左右両側に沿うように折り畳まれることを特徴とする請求項３に記載のディスクローディング用トレイ。
【請求項６】
前記弾発部材は、ねじりコイルバネからなることを特徴とする請求項３に記載のディスクローディング用トレイ。
【発明の詳細な説明】
【０００１】
【発明の属する技術分野】
本発明は、ディスク再生装置に設けられるディスクローディング用トレイの引き出しときにおける支持機構に関する。
【０００２】
【従来の技術】
ディスク再生装置には、光ディスクをローディングするためのディスクローディング用トレイが設けられている。例えば、図１に示すように、ディスクローディング用トレイ１は、ディスク再生装置５に対して引出・収納自在となるように設けられることが多い。
【０００３】
このようなディスク再生装置５では、ディスクローディング用トレイ１を、ディスク再生装置５の前方へ水平移動して引き出し、所定の引出位置（図示の位置）にて位置規制させ、その位置にて、ディスクの載置や交換等を行う。このようなディスクローディング用トレイ１を具備したディスク装置は、従来から、種々提案されている（例えば、特許文献１参照）。
【０００４】
【特許文献１】
実用新案登録第３０８８１５９号（図１）
【０００５】
【発明が解決しようとする課題】
上述のディスクローディング用トレイ１は、ディスク再生装置５の内部に設けられているディスク再生機構に設けられているガイドレールなどにより案内・支持されているが、引き出された状態では、片持ち支持の状態となるため、ディスクローディング用トレイ１の先端部は宙に浮いた状態となる。
【０００６】
そのため、ディスクローディング用トレイ１は上下方向の安定性がよくなく、ディスク交換時等に、動揺したり、また、その先端部に手などによって不用意に大きな外力が作用すると、トレイ自体が破損したり、トレイを支えている装置内部の支持機構に不具合が発生したりすることがあった。
【０００７】
本発明は、このような実情に鑑みてなされ、引き出された状態での安定性を向上させたディスクローディング用トレイを提供することを目的とする。
【０００８】
【課題を解決するための手段】
本発明は、上述の課題を解決するための手段を、以下のように構成している。
【０００９】
（１）ディスク再生装置に引出・収納自在に設けられるディスクローディング用トレイの引出方向の左右両側面に支持部材を設け、前記支持部材を、前記ディスクローディング用トレイの引き出された部分を前記ディスク再生装置が載置されている載置面に対して支持する支持位置と、前記ディスクローディング用トレイを前記ディスク再生装置内に収納したときの収納位置と、の間で回動自在に構成したことを特徴とする。
【００１０】
この構成においては、ディスクローディング用トレイがディスク再生装置から引き出されると、支持位置に回動した支持部材によって支持されるため、ディスクローディング用トレイが安定な状態となり、ディスクを交換する際等にその先端部に手などが触れても、トレイが動揺することなく、トレイ自体の破損やディスク再生装置内部の支持機構に不具合が発生するのが防止される。また、ディスクローディング用トレイに必要とされる剛性、強度を支持部材によって補うことができる。
【００１１】
（２）前記支持部材が前記支持位置にあるときには、前記支持部材と、前記ディスク再生装置が載置されている載置面と、の間に若干の隙間が形成されることを特徴とする。
【００１２】
この構成においては、支持部材が支持位置にある状態では、ディスク再生装置が載置されている面と、の間に若干の隙間が形成されるため、ディスクローディング用トレイを引き出す時または収納するときに、支持部材が載置面と接触することがなく、スムーズに引き出し、収納することができる。
【００１３】
（３）前記ディスクローディング用トレイを前記ディスク再生装置から引き出したときに、前記支持部材を、前記支持位置に付勢回動する弾発部材を設けたことを特徴とする。
【００１４】
この構成においては、ディスクローディング用トレイをディスク再生装置から引き出すと、支持部材が、弾発部材によって支持位置に回動付勢するため、その状態で、ディスクローディング用トレイが安定に支持される。
【００１５】
（４）前記支持部材を前記支持位置に位置規制するための規制部材を、前記ディスクローディング用トレイの左右両側に設けたことを特徴とする。
【００１６】
この構成においては、ディスクローディング用トレイをディスク再生装置から引き出したときに、支持部材が規制部材によって支持位置に位置規制されるため、ディスクローディング用トレイが安定な支持状態となる。
【００１７】
（５）前記ディスクローディング用トレイを前記ディスク再生装置内に収納すると、前記支持部材が、前記弾発部材の付勢力に抗して、前記ディスクローディング用トレイの左右両側に沿うように折り畳まれることを特徴とする。
【００１８】
この構成においては、ディスクローディング用トレイをディスク再生装置内に収納すると、支持部材が折り畳まれるため、ディスク再生装置内に大きなスペースを要することなく、支持部材を収納することができる。
【００１９】
（６）前記弾発部材は、ねじりコイルバネからなることを特徴とする。
【００２０】
この構成においては、弾発部材に、ねじりコイルバネを用いているため、構成が簡易となり、コストの低減化が可能となる。
【００２１】
【発明の実施の形態】
以下に、本発明の実施の形態に係るディスクローディング用トレイについて図面を参照しつつ詳細に説明する。
【００２２】
図２は、ディスクローディング用トレイ１を引き出した状態のディスク再生装置５の斜視図、図３は側面図を示す。これらの図に示すように、ディスクローディング用トレイ１の左右両側（図示は片側のみ）に、回動自在な支持部材２を設けている。その支持部材２は、少なくとも引き出された状態のディスクローディング用トレイ１を支持する支持位置（図示の位置）と、ディスクローディング用トレイ１をディスク再生装置５内に収納したときの収納位置（図６参照）と、の間で回動自在となるように構成されている。
【００２３】
この支持部材２の一端は、ディスクローディング用トレイ１の側面に突設した支軸１ａに回動自在に支持され（図４参照）、支持部材２が図示の支持位置にある状態では、その他端が、ディスク再生装置５を載置している載置面６との間に若干の隙間ｓを隔てて対向している。そして、この支持部材２には、ディスクローディング用トレイ１をディスク再生装置５から引き出したときに、その支持部材２を、前記支持位置に付勢回動するための弾発部材３を設けている。
【００２４】
図４は、支持部材２まわりの分解組付対応図で、図示のように、ディスクローディング用トレイ１の側面には、支持部材２の一端に形成された支持孔２ａを回動自在に被嵌させる支軸１ａが突設形成されている。この支軸１ａには、止めネジ４を螺合させるためのネジ孔ｎが穿設されている。また、支軸１ａの近傍には、支持部材２を支持位置に位置規制するための規制部材１ｂが突設されている。
【００２５】
支持部材２を付勢するための弾発部材３は、例えば、ねじりコイルバネからなり、その中央部には、円孔部３ａが形成され、その一端と他端には、それぞれ先端が略直角に折曲された折曲部３ｂ，３ｃが形成されている。この折曲部３ｂ，３ｃは、それぞれ、ディスクローディング用トレイ１の側面に形成された受孔１ｃと、支持部材２に形成された受孔２ｂに係入される。なお、弾発部材３は、板バネやコイルスプリング等であってもよい。
【００２６】
このような部材構成により、支持部材２の支持孔２ａを支軸１ａに被嵌させた後、弾発部材３の円孔部３ａを支軸１ａに被嵌させ、その折曲部３ｂ，３ｃを、それぞれ、ディスクローディング用トレイ１の側面に形成された受孔１ｃと、支持部材２に形成された受孔２ｂに係入固定する。次いで、止めネジ４を支軸１ａのネジ孔ｎに螺合締結すれば、ディスクローディング用トレイ１に対する支持部材２と弾発部材３の組み付けが完了する。
【００２７】
図３に示す状態では、ディスクローディング用トレイ１が所定位置に引き出され、支持部材２が支持位置に回動付勢され、規制部材１ｂによってその支持位置に位置規制されている。そして、支持部材２の他端と載置面６との間に若干の隙間ｓが形成されている。従って、ディスクローディング用トレイ１は、支持部材２によって安定状態に支持されている。
【００２８】
すなわち、不用意にディスクローディング用トレイ１に対して下方への外力が作用しても、支持部材２が載置面６に接触することにより、それ以上は下に傾くことはなく、ディスクローディング用トレイ１や、ディスク再生装置５内部の支持機構を破損することがない。また、ディスクローディング用トレイに必要とされる剛性、強度を支持部材によって補うことができるため、ディスクローディング用トレイ１の軽量化が可能となる。
【００２９】
また、上述のように、支持部材２と載置面６との間に隙間ｓを形成したことにより、ディスクローディング用トレイ１の引出・収納時には、支持部材２が載置面６と接触しないため、負荷変動が生じることはなく、スムーズな引出・収納動作が可能となる。そして、載置面６が支持部材２によって疵付けられるのが防止される。
【００３０】
図５は、ディスクローディング用トレイ１をディスク再生装置５内に収納する過程の状態を示す。図示の状態では、支持部材２がディスク再生装置５のトレイ挿入口のコーナー５ｂに接触し、ディスクローディング用トレイ１の図示右方向への移動動作により、反時計まわりに回動する。なお、弾発部材３の弾発力は、ディスクローディング用トレイ１の移動によって支持部材２の反時計まわりへの回動動作を許容できる程度に設定されている。
【００３１】
さらに、ディスクローディング用トレイ１が右方向へ移動すると、図６に示すように、支持部材２は、ディスク再生装置５内に設けられた板状のリブ５ａに沿って内部に移動し、この状態（ディスクローディング用トレイ１の側面に沿った状態）にて、図示の収納位置に収納される。このような収納状態では、支持部材２が折り畳まれているため、ディスク再生装置５内に大きな収納スペースを必要としない。
【００３２】
ディスクローディング用トレイ１が引き出されるときには、上述の収納動作とは、逆の動作となる。すなわち、ディスクローディング用トレイ１がディスク再生装置５から引き出されると、弾発部材３の弾発力によって、支持部材２が自動的に支持位置に付勢回動し規制部材１ｂによって位置規制される（図３参照）。
【００３３】
なお、図２ないし図６では、ディスクローディング用トレイ１の右側のみを図示しているが、図示されていない反対の面（左側）にも、支持部材２とその周辺部材が対称に設けられている。
【００３４】
また、本実施の形態では、ディスクローディング用トレイ１の両側面に、支持部材２を設けているが、外観を向上させるためには、図示は省略するが、支持部材２を、ディスクローディング用トレイ１の内側に取付けて、支軸１ａや弾発部材３、規制部材１ｂ等を外部から見えないように、隠蔽するような構成も可能である。
【００３５】
【発明の効果】
以上の説明から明らかなように、本発明は、以下の効果を奏する。
【００３６】
（１）ディスクローディング用トレイがディスク再生装置から引き出されると、引き出された部分が、支持位置に回動した支持部材によって載置面に対して支持されるので、ディスクを交換する際等にその先端部に手などが触れても、トレイが動揺することなく、トレイ自体の破損やディスク再生装置内部の支持機構に不具合が発生するのが防止される。また、ディスクローディング用トレイに必要とされる剛性、強度を支持部材によって補うことができるため、ディスクローディング用トレイの軽量化が可能となる。
【００３７】
（２）支持部材が支持位置にある状態では、ディスク再生装置が載置されている面と、の間に若干の隙間が形成されるので、ディスクローディング用トレイを引き出す時または収納するときに、支持部材が載置面と接触することがなく、スムーズに引き出し、収納することができる。
【００３８】
（３）ディスクローディング用トレイをディスク再生装置から引き出すと、支持部材が、弾発部材によって支持位置に回動付勢するので、その状態で、ディスクローディング用トレイが安定に支持される。
【００３９】
（４）ディスクローディング用トレイをディスク再生装置から引き出したときに、支持部材が規制部材によって支持位置に位置規制されるので、ディスクローディング用トレイが安定な支持状態となる。
【００４０】
（５）ディスクローディング用トレイをディスク再生装置内に収納すると、支持部材が折り畳まれるので、ディスク再生装置内に大きなスペースを要することなく、支持部材を収納することができる。
【００４１】
（６）前記弾発部材は、ねじりコイルバネからなるので、構成が簡易となり、コストの低減化が可能となる。
【図面の簡単な説明】
【図１】従来のディスク再生装置におけるディスクローディング用トレイを引き出した状態の斜視図である。
【図２】本発明の実施形態に係るディスクローディング用トレイをディスク再生装置から引き出した状態の斜視図である。
【図３】同ディスク再生装置の側面図である。
【図４】同要部分解組付斜視図である。
【図５】同ディスクローディング用トレイの収納過程の側面図である。
【図６】同ディスクローディング用トレイを収納した状態の側面図である。
【符号の説明】
１−ディスクローディング用トレイ
２−支持部材
３−弾発部材
５−ディスク再生装置
６−  載置面
１ｂ−規制部材
ｓ−隙間
【図１】
2005004922.tif 000003
【図２】
2005004922.tif 000004
【図３】
2005004922.tif 000005
【図４】
2005004922.tif 000006
【図５】
2005004922.tif 000007
【図６】
2005004922.tif 000008